(57)【要約】【課題】洗浄水をゼット吐水口から吐出させる際の異音の発生を抑制することができる水洗大便器を提供する。【解決手段】本発明は、水洗大便器(1)であって、水洗大便器本体(2)を有し、この水洗大便器本体には、ボウル形状の汚物受け面を備えたボウル部(20)と、上昇管路(22b)、屈曲部(22c)、及び下降管路(22d)を備えた排水トラップ管路(22)と、水洗大便器本体に洗浄水を流入させる導水路流入部(31a)からボウル部の底部に設けられたゼット吐水口(32)まで延び、ゼット吐水口へ洗浄水を導くゼット導水路(31)と、が形成されており、ゼット吐水口は排水トラップ管路の入口開口(22a)に対向するように配置されると共に、ゼット吐水口の開口面積はゼット導水路の基端部の流路断面積よりも狭く形成され、ゼット導水路は、導水路流入部よりも下流側の部分が、屈曲部によって規定される溜水面(L)よりも下側に配置されていることを特徴としている。【選択図】図３
2018003250.tif 000002
【特許請求の範囲】
【請求項１】
ゼット吐水口から洗浄水を吐出し、汚物を排出する水洗大便器であって、
陶器製の水洗大便器本体を有し、この水洗大便器本体には、
ボウル形状の汚物受け面を備えたボウル部と、
このボウル部の底部から斜め上方に向かって延びる上昇管路、この上昇管路の下流端に設けられ、上記ボウル部の溜水面の高さを規定する屈曲部、及びこの屈曲部から下方に向かって延びる下降管路を備えた排水トラップ管路と、
上記水洗大便器本体に洗浄水を流入させる導水路流入部から上記ボウル部の底部に設けられたゼット吐水口まで延び、上記ゼット吐水口へ洗浄水を導くゼット導水路と、
が形成されており、
上記ゼット吐水口は上記排水トラップ管路の入口開口に対向するように配置されると共に、上記ゼット吐水口の開口面積は上記ゼット導水路の基端部の流路断面積よりも狭く形成され、上記ゼット導水路は、上記導水路流入部よりも下流側の部分が、上記屈曲部によって規定される溜水面よりも下側に配置されていることを特徴とする水洗大便器。
【請求項２】
上記ゼット導水路は、その流路断面積が下流側に向かって小さくなるように形成されている請求項１記載の水洗大便器。
【請求項３】
さらに、加圧ポンプを有し、この加圧ポンプは、上記水洗大便器本体の上記導水路流入部に洗浄水を加圧して流入させる請求項１又は２に記載の水洗大便器。
【請求項４】
上記ゼット導水路は、その天井面の少なくとも一部が、上記ボウル部の底部を形成する壁面により構成されている請求項１乃至３の何れか１項に記載の水洗大便器。
【発明の詳細な説明】
【技術分野】
【０００１】
本発明は、水洗大便器に関し、特に、ゼット吐水口から洗浄水を吐出し、汚物を排出する水洗大便器に関する。
【背景技術】
【０００２】
特開２０１４−６２４３１号公報（特許文献１）には、水洗大便器が記載されている。この水洗大便器においては、ゼット吐水口に洗浄水を導く導水路の途中に拡大部を設けることにより、ゼット吐水口から洗浄水が吐出される際の異音の発生を抑制している。即ち、ゼット吐水口に洗浄水を導く導水路内に多量の空気が滞留していると、ゼット吐水口からの吐水を行うとき、滞留していた空気が導水路内で圧縮され、圧縮された空気がゼット吐水口から吐出する際に「ボコン」という破裂音が異音として発生する。特開２０１４−６２４３１号公報記載の水洗大便器においては、導水路の途中に拡大部を設けることにより、滞留していた空気を細かく分散させ、空気の塊を細分化して、ゼット吐水口から吐出する際の異音発生の問題を軽減している。
【先行技術文献】
【特許文献】
【０００３】
【特許文献１】特開２０１４−６２４３１号公報
【発明の概要】
【発明が解決しようとする課題】
【０００４】
このようなゼット吐水口からの吐水に伴う異音の発生は、節水化のためにゼット吐水口の開口面積を小さくした場合に特に問題となる。即ち、少量の洗浄水でボウル内の汚物を排出するためには、ゼット吐水口から流出する洗浄水の流速を高くし、排水トラップ管路内を早期に満水としてサイホン作用を発生させる必要がある。流出する洗浄水の流速を高くすべく、ゼット吐水口の開口面積を小さく形成すると、滞留していた空気が導水路内で強く圧縮され、流出する際に大きな破裂音が発生する結果となる。
【０００５】
また、洗浄水を加圧するための加圧ポンプを備えた水洗大便器も知られている。このような水洗大便器においては、ゼット吐水口から吐出するための洗浄水を、加圧ポンプにより加圧して導水路内に流入させ、ゼット吐水口から流出する洗浄水の流速を高めている。このような加圧ポンプを備えた水洗大便器においても、滞留していた空気が導水路内で圧縮されやすく、ゼット吐水の際の異音の発生が問題になる。
【０００６】
上述した特開２０１４−６２４３１号公報記載の水洗大便器においては、導水路の途中に拡大部を設けることにより、発生する異音を軽減していたが、拡大部を設けることにより導水路の構造が複雑になるという問題がある。また、導水路の途中に拡大部を設け、そこで滞留していた空気を分散させると、導水路全体の流路抵抗が大きくなり、エネルギーロスが発生するので、ゼット吐水口から吐出する洗浄水の流速は低下してしまう。このため、導水路の途中に拡大部を設けると、水洗大便器の節水化にはマイナス要因となる。
【０００７】
従って、本発明は、導水路の構造を複雑化したり、水洗大便器の節水化を妨げることなく、洗浄水をゼット吐水口から吐出させる際の異音の発生を抑制することができる水洗大便器を提供することを目的としている。
【課題を解決するための手段】
【０００８】
上述した課題を解決するために、本発明は、ゼット吐水口から洗浄水を吐出し、汚物を排出する水洗大便器であって、陶器製の水洗大便器本体を有し、この水洗大便器本体には、ボウル形状の汚物受け面を備えたボウル部と、このボウル部の底部から斜め上方に向かって延びる上昇管路、この上昇管路の下流端に設けられ、ボウル部の溜水面の高さを規定する屈曲部、及びこの屈曲部から下方に向かって延びる下降管路を備えた排水トラップ管路と、水洗大便器本体に洗浄水を流入させる導水路流入部からボウル部の底部に設けられたゼット吐水口まで延び、ゼット吐水口へ洗浄水を導くゼット導水路と、が形成されており、ゼット吐水口は排水トラップ管路の入口開口に対向するように配置されると共に、ゼット吐水口の開口面積はゼット導水路の基端部の流路断面積よりも狭く形成され、ゼット導水路は、導水路流入部よりも下流側の部分が、屈曲部によって規定される溜水面よりも下側に配置されていることを特徴としている。
【０００９】
このように構成された本発明においては、便器洗浄時において、洗浄水はゼット導水路の導水路流入部を介して陶器製の水洗大便器本体内に流入する。導水路流入部に流入した洗浄水は、ゼット導水路内を流れ、ボウル部の底部に設けられたゼット吐水口から吐出される。ゼット吐水口から吐出された洗浄水は、ボウル部内の溜水及び汚物を巻き込みながら、ゼット吐水口に対向するように配置された排水トラップ管路の入口開口に流入する。入口開口から流入した溜水及び汚物は、排水トラップ管路の上昇管路、屈曲部、及び下降管路を通って水洗大便器から排出される。
【００１０】
このように構成された本発明によれば、ゼット吐水口が排水トラップ管路の入口開口に対向するように配置されると共に、ゼット吐水口の開口面積がゼット導水路の基端部の流路断面積よりも狭く形成されているので、ゼット吐水口から流出する洗浄水は加速され、排水トラップ管路の入口開口に勢いよく流入する。これにより、ボウル部内の汚物を効率良く排出することができ、洗浄に要する洗浄水の量を少なくすることができる。加えて、ゼット導水路の導水路流入部よりも下流側の部分は、ボウル部の溜水面よりも下側に配置されているので、ゼット導水路内に残留している空気の量が少なく、洗浄水を加速してゼット吐水口から吐出させる際の異音を大幅に抑制することができる。即ち、ゼット吐水口の開口面積をゼット導水路の基端部の流路断面積よりも狭く形成することにより、ゼット吐水口から吐出する洗浄水を加速させると、ゼット導水路内に残留している空気が圧縮され、これがゼット吐水口から吐出される際、破裂音の異音を発生させやすい。本発明によれば、ゼット導水路内に残留している空気の量が少ないため、ゼット吐水口から空気が吐出される際の異音を大幅に低減することができる。これにより、ゼット導水路の構造を複雑化したり、水洗大便器の節水化を妨げることなく、洗浄水をゼット吐水口から吐出させる際の異音の発生を抑制することができる。
【００１１】
本発明において、好ましくは、ゼット導水路は、その流路断面積が下流側に向かって小さくなるように形成されている。
このように構成された本発明によれば、ゼット導水路の流路断面積が下流側に向かって小さくなるように形成されているので、ゼット導水路内を流れる洗浄水を、少ないエネルギーロスで加速することができ、ゼット吐水口から吐出される洗浄水の流速をより高くすることができる。この結果、洗浄水の加速による異音の発生を抑制しながら、より少ない洗浄水でボウル部内の溜水及び汚物を排出することができる。
【００１２】
本発明において、好ましくは、さらに、加圧ポンプを有し、この加圧ポンプは、水洗大便器本体の導水路流入部に洗浄水を加圧して流入させる。
このように構成された本発明によれば、加圧ポンプにより、洗浄水を導水路流入部に加圧して流入させるので、ゼット導水路内を流れる洗浄水の流速を高くすることができ、洗浄水の加速による異音の発生を抑制しながら、より短時間でボウル部内の溜水及び汚物を排出することができる。
【００１３】
本発明において、好ましくは、ゼット導水路は、その天井面の少なくとも一部が、ボウル部の底部を形成する壁面により構成されている。
このように構成された本発明によれば、ゼット導水路の天井面の少なくとも一部が、ボウル部底部の壁面により構成されているので、単純な構造で、ゼット導水路の導水路流入部よりも下流側の部分が、溜水面よりも下側に配置された水洗大便器本体を形成することができる。
【発明の効果】
【００１４】
本発明の水洗大便器によれば、導水路の構造を複雑化したり、水洗大便器の節水化を妨げることなく、洗浄水をゼット吐水口から吐出させる際の異音の発生を抑制することができる。
【図面の簡単な説明】
【００１５】
【図１】本発明の実施形態による水洗大便器全体を示す斜視図である。
【図２】本発明の実施形態による水洗大便器の水洗大便器本体部分を示す平面図である。
【図３】本発明の実施形態による水洗大便器の前後方向の全断面図である。
【図４】本発明の実施形態による水洗大便器の、図２におけるIV−IV線に沿う全断面図である。
【図５】本発明の実施形態による水洗大便器におけるゼット導水路の構成を示す斜視図である。
【図６】ゼット導水路各部の流路断面形状を、図２のＡ−Ａ線乃至Ｅ−Ｅ線における断面について示した図である。
【図７】ゼット導水路各部の流路断面積の推移を示すグラフである。
【発明を実施するための形態】
【００１６】
次に、添付図面を参照して、本発明の実施形態の水洗大便器を説明する。
図１は、本発明の実施形態による水洗大便器全体を示す斜視図であり、便蓋及び便座を上方位置まで回動させた状態を示している。図２は、図１に示す本実施形態の水洗大便器の水洗大便器本体部分を示す平面図である。図３は本実施形態の水洗大便器の前後方向の全断面図であり、便蓋及び便座を取り外した状態を示している。図４は本実施形態の水洗大便器の、図２におけるIV−IV線に沿う全断面図である。
【００１７】
図１に示すように、本発明の実施形態による水洗大便器１は、陶器製の水洗大便器本体２と、この水洗大便器本体２の上面に上下方向に回動可能に配置された便座４と、この便座４を覆うように上下方向に回動可能に配置された便蓋６と、水洗大便器本体２の後方に配置された機能部８とを備えている。また、機能部８には、使用者の局部を洗浄する衛生洗浄装置（図示せず）と、水洗大便器本体２への給水機能に関与する給水系機能部１２（図２及び図３）が内蔵されている。
【００１８】
また、水洗大便器本体２にはボウル部２０が形成されており、このボウル部２０は、ボウル形状の汚物受け面１４と、この汚物受け面１４の上縁の棚面１６から立ち上がるように形成されたリム部１８とを備えている。
さらに、図３に示すように、水洗大便器本体２には、ボウル部２０の底部に設けられた入口開口２２ａから延びる排水トラップ管路２２が形成されている。この排水トラップ管路２２は、入口開口２２ａから後方斜め上方に向かって延びる上昇管路２２ｂ、この上昇管路２２ｂの下流端に設けられ、ボウル部２０の溜水面Ｌの高さを規定する屈曲部２２ｃ、及びこの屈曲部２２ｃから下方に向かって延びる下降管路２２ｄから構成されている。即ち、ボウル部２０の溜水面Ｌの高さは、排水トラップ管路２２の底面が最も高い位置にある屈曲部２２ｃにより規定される。
【００１９】
また、図２に示すように、水洗大便器本体２側面のリム部１８の内部には、リム通水路２４が形成されている。このリム通水路２４の下流端には、リム吐水部の一部であるリム吐水口２６が形成されている。さらに、リム通水路２４の上流側は、洗浄水源である水道（図示せず）から供給される洗浄水をリム通水路２４に供給する導水路である導水管２８に接続されている。この導水管２８の上流側は、洗浄水源である水道（図示せず）に直結されており、この水道の給水圧力を利用して洗浄水がリム吐水口２６まで導かれるようになっている。導水管２８からリム通水路２４内に供給された洗浄水は、リム通水路２４内で水洗大便器本体２の前方側へ導かれ、その後、後方側に折り返し、リム吐水口２６から後方に向けて吐出（リム吐水）されるようになっている。
リム吐水口２６から吐出された洗浄水は、リム吐水口２６に連なるように形成された通水路３０を経て棚面１６に導かれ、ボウル部２０内を旋回することにより汚物受け面１４を洗浄するようになっている。
【００２０】
さらに、図２に示すように、ボウル部２０の底部には、ゼット吐水口３２が形成されており、このゼット吐水口３２は、排水トラップ管路２２の入口開口２２ａに向けてジェット噴流が吐出されるように、入口開口２２ａに対向するように配置されている。また、水洗大便器本体２には、水洗大便器本体２に洗浄水を流入させる導水路流入部３１ａ（図５）から、ボウル部２０の底部に設けられたゼット吐水口３２まで延びるゼット導水路３１が形成されている。
【００２１】
さらに、図２に示すように、水洗大便器本体２の後部には、給水系機能部１２として、貯水タンク３４、及び加圧ポンプ３６が設けられている。加圧ポンプ３６は、貯水タンク３４内に貯留されている洗浄水を加圧して、導水路流入部３１ａに流入させるように構成されている。これにより、加圧ポンプ３６が作動されると、貯水タンク３４に貯水されていた洗浄水は、加圧ポンプ３６によって加圧されて導水路流入部３１ａに流入し、ゼット導水路３１を通ってゼット吐水口３２から吐出される。
【００２２】
また、ゼット吐水口３２から吐出された洗浄水は、ボウル部２０内に貯留されていた溜水を巻き込みながら、ゼット吐水口３２に対向して設けられた排水トラップ管路２２の入口開口２２ａに流入する。入口開口２２ａに流入した洗浄水は、上昇管路２２ｂ内を上昇して屈曲部２２ｃ内を満水とし、サイホン作用を誘発する。サイホン作用が発生すると、ボウル部２０内の溜水及び汚物が入口開口２２ａを通って上昇管路２２ｂ内に吸引され、屈曲部２２ｃを越えて下降管路２２ｄから排出される。このように、加圧ポンプ３６を使用してゼット吐水口３２から洗浄水を噴射させることにより、早期に排水トラップ管路２２内を満水にすることが可能になり、早期にサイホン作用を起動させることができる。
【００２３】
なお、本実施形態においては、貯水タンク３４内の洗浄水を加圧ポンプ３６を使用してゼット導水路３１に流入させているが、水道の給水圧力を利用して洗浄水を流入させる水道直圧式や、貯水タンクの水頭圧により洗浄水を流入させるタンク式の水洗便器に本発明を適用することもできる。
【００２４】
次に、図２乃至図７を参照して、水洗大便器本体２に形成されているゼット導水路３１の構成を詳細に説明する。
図５は、水洗大便器本体におけるゼット導水路の構成を示す斜視図であり、ボウル部２０の周囲を取り囲む側壁面等を除去して示したものである。図６は、ゼット導水路３１各部の流路断面形状を、図２のＡ−Ａ線乃至Ｅ−Ｅ線における断面について示した図である。また、図７は、ゼット導水路３１各部の流路断面積の推移を示すグラフである。
【００２５】
図２に示すように、ゼット導水路３１は、陶器製の水洗大便器本体２の後部に設けられた導水路流入部３１ａから、水洗大便器本体２の前方斜め下方に向かって延びた後、Ｕターンし、水洗大便器本体２の後方に向けて開口したゼット吐水口３２まで延びる通路である。具体的には、ゼット導水路３１は、洗浄水を流入させる導水路流入部３１ａと、この導水路流入部３１ａから前方斜め下方に向かって延びる導水路中間部３１ｂと、この中間部３１ｂの先端に接続され、Ｕターンして後方側に向かう導水路湾曲部３１ｃから構成されている。
【００２６】
また、図３に示すように、導水路流入部３１ａには、加圧ポンプ３６から延びる給水管３６ａが水密的に接続されている。導水路流入部３１ａは箱形の空間を形成しており、給水管３６ａを接続するための流入開口が、その天井面に形成されている。即ち、給水管３６ａを介して供給された洗浄水は、天井面から導水路流入部３１ａ内の空間に流入する。この導水路流入部３１ａの天井面は、排水トラップ管路２２の屈曲部２２ｃによって規定される溜水面Ｌの高さよりも高い位置にある。このため、ボウル部２０の溜水面Ｌが屈曲部２２ｃによって規定される高さにある水洗大便器１の待機状態では、給水管３６ａと導水路流入部３１ａの接続部は水面よりも上方にあり、水没していないので、接続部から漏水するリスクを最小にすることができる。なお、給水管３６ａには、ゼット吐水時において、給水管３６ａ内等に滞留していた空気を排出するためのエア抜き（図示せず）が設けられている。
【００２７】
また、導水路中間部３１ｂは、導水路流入部３１ａの側面に連通するように設けられ、導水路流入部３１ａから前方斜め下方に向かって延びる流路である（図５）。ここで、導水路中間部３１ｂの流路の天井面は、その全体がボウル部２０の溜水面Ｌの高さよりも下方に位置している（図３）。このため、ボウル部２０内に溜水面Ｌまで溜水が貯留されている状態においては、導水路中間部３１ｂの内部は満水になっており、空気は残留していない。換言すれば、導水路流入部３１ａは、溜水面Ｌよりも上方まで延びる通路を形成する一方、導水路中間部３１ｂは、導水路流入部３１ａの下流端から横方向に、斜め下方に延びる水没した通路を形成している。
【００２８】
導水路湾曲部３１ｃは、導水路中間部３１ｂの下流側に接続された概ねＵ字型の流路であり、その下流端にゼット吐水口３２が形成されている（図２）。これにより、導水路中間部３１ｂ内を前方斜め下方に流れた洗浄水は、導水路湾曲部３１ｃ内で１８０゜方向転換され、後方に向けてゼット吐水口３２から吐出される。また、導水路湾曲部３１ｃは、導水路中間部３１ｂの最も低い位置にある下流端に接続され、概ね水平な面内に延びている。このため、導水路湾曲部３１ｃの流路の天井面も、その全体が溜水面Ｌの高さよりも下方に位置しており、ボウル部２０内に溜水面Ｌまで溜水が貯留されている状態においては、導水路湾曲部３１ｃの内部も満水になっており、空気は残留していない。このため、ゼット導水路３１の内には、導水路流入部３１ａの天井面近傍の極僅かな空間だけに空気が残留することになる。
【００２９】
次に、図２に示すように、ゼット導水路３１の導水路中間部３１ｂは、導水路流入部３１ａから水洗大便器本体２の前後方向に向かって延びた後、水洗大便器本体２の左右方向中心に向かって屈曲し、再び前後方向に向かって延びている。
一方、図４は、図２のＩＶ−ＩＶ線に沿う断面図である。図４に示すように、ボウル部２０の下部は、傾斜が急な側面壁面１４ａと、この側面壁面１４ａの下側に連なる傾斜が緩やかな底部壁面１４ｂから構成されている。さらに、水洗大便器本体２に一体的に形成された導水路中間部３１ｂは、その天井面が、ボウル部２０の底部を形成する底部壁面１４ｂにより形成されている。このように、ゼット導水路３１の少なくとも一部は、ボウル部２０の底部壁面１４ｂよりも下側に配置されており、ゼット導水路３１の天井面はボウル部２０の底部壁面１４ｂを構成する壁面によって形成される。これにより、ゼット導水路３１の導水路流入部３１ａよりも下流側の部分を、溜水面よりも下側に配置することが可能になる。
【００３０】
次に、図６は、ゼット導水路３１各部の、図２におけるＡ−Ａ線乃至Ｅ−Ｅ線に沿う流路断面形状を示した図であり、図７はゼット導水路３１各部における流路断面積を示したグラフである。図６におけるＡ−Ａ断面は導水路流入部３１ａの流路断面を示し、Ｂ−Ｂ断面は導水路中間部３１ｂの上流端の流路断面を示し、Ｅ−Ｅ断面は導水路湾曲部３１ｃの下流端の断面（ゼット吐水口３２）を示している。図６から明らかなように、ゼット導水路３１は、その下流端（Ｅ−Ｅ断面（ゼット吐水口３２）の開口面積が、基端部（Ａ−Ａ断面）の流路断面積よりも狭く形成されている。また、図６及び図７に示すように、ゼット導水路３１は、Ａ−Ａ断面（２２２３ｍｍ2）、Ｂ−Ｂ断面（７０２ｍｍ2）、Ｃ−Ｃ断面（４００ｍｍ2）、Ｄ−Ｄ断面（４２０ｍｍ2）、Ｅ−Ｅ断面（１４０ｍｍ2）のように、下流側に向かってほぼ単調にその流路断面積が小さくなるように形成されている。このように、流路断面積が下流側に向かって次第に小さくなるようにゼット導水路３１を形成することにより、加圧ポンプ３６により加圧され、ゼット導水路３１に流入した洗浄水は、大きなエネルギーロスを伴うことなく導水路内で流速を増し、ゼット吐水口３２から吐出される。
【００３１】
次に、本発明の実施形態による水洗大便器１の動作（作用）を説明する。
まず、使用者が、便器使用後に、リモコン（図示せず）に設けられた大洗浄用の操作ボタン（図示せず）を押すと、リモコン（図示せず）からの信号が、給水系機能部１２に内蔵されたコントローラ（図示せず）に送信され、水洗大便器１の大洗浄用の洗浄動作が開始される。コントローラ（図示せず）は、給水系機能部１２に内蔵された電磁弁（図示せず）に信号を送り、これを開弁させる。これにより、洗浄水が水道から導水管２８、リム通水路２４を通過し、リム吐水口２６から吐出される。リム吐水口２６から吐出された洗浄水は、ボウル部２０内を旋回しながら下方へ流下し、ボウル部２０の内壁面が洗浄される。
【００３２】
次いで、コントローラ（図示せず）は、ゼット吐水（ジェット吐水）を開始させる。
先ず、コントローラ（図示せず）は、加圧ポンプ３６に信号を送ってこれを起動させる。貯水タンク３４内に貯水されていた洗浄水は、加圧ポンプ３６によって吸い上げられ、加圧される。加圧ポンプ３６によって加圧された洗浄水は、導水路流入部３１ａに流入し、次第に流速を増しながらゼット導水路３１内を流下し、ボウル部２０の底部に開口したゼット吐水口３２から、水洗大便器本体２の後方側に向けて吐出される。ここで、水洗大便器１の待機状態（使用者が操作ボタンを押す前）においては、ゼット導水路３１の内部は導水路流入部３１ａよりも下流側が満水となっており、ゼット導水路３１内に残留している空気は少量である。このため、ゼット吐水の際にゼット導水路３１の内部で圧縮される空気は僅かであり、圧縮された空気がゼット吐水口３２から吐出される際の異音は、大幅に軽減される。
【００３３】
ゼット吐水口３２から吐出された洗浄水は、ボウル部２０内の溜水を巻き込みながら、ゼット吐水口３２に対向するように配置された排水トラップ管路２２の入口開口２２ａに流入する。流入した洗浄水は、排水トラップ管路２２の上昇管路２２ｂ内を上昇し、屈曲部２２ｃを満水にする。屈曲部２２ｃが満水にされると、サイホン作用が発生し、ボウル部２０内の溜水及び汚物が排水トラップ管路２２の入口開口２２ａから吸引され、下降管路２２ｄを通って排出される。本実施形態の水洗大便器１においては、ゼット導水路３１の流路断面積が下流側に向かって小さくなるように形成されているので、ゼット導水路３１内を流れる洗浄水は加速され、高い流速でゼット吐水口３２から吐出される。これにより、ゼット吐水口３２から吐出された洗浄水は、急速に排水トラップ管路２２内を満水にし、早期にサイホン作用が起動される。早期にサイホン作用が起動されることにより、ボウル部２０内の溜水及び汚物を短時間で排出することが可能になるので、便器洗浄の時間を短縮することができると共に、洗浄に使用される洗浄水の量を少なくすることができる。
【００３４】
本発明の実施形態の水洗大便器１によれば、ゼット吐水口３２が排水トラップ管路２２の入口開口２２ａに対向するように配置される（図３）と共に、ゼット吐水口３２の開口面積がゼット導水路３１の基端部の流路断面積よりも狭く形成されている（図６）ので、ゼット吐水口３２から流出する洗浄水は加速され、排水トラップ管路２２の入口開口に勢いよく流入する。これにより、ボウル部２０内の汚物を効率良く排出することができ、洗浄に要する洗浄水の量を少なくすることができる。加えて、ゼット導水路３１の導水路流入部３１ａよりも下流側の部分は、ボウル部２０の溜水面Ｌよりも下側に配置されているので、ゼット導水路３１内に残留している空気の量が少なく、洗浄水を加速してゼット吐水口３２から吐出させる際の異音を大幅に抑制することができる。即ち、ゼット吐水口３２の開口面積をゼット導水路の基端部の流路断面積よりも狭く形成する（図６）ことにより、ゼット吐水口３２から吐出する洗浄水を加速させると、ゼット導水路３１内に残留している空気が圧縮され、これがゼット吐水口３２から吐出される際、破裂音の異音を発生させやすい。本実施形態によれば、ゼット導水路３１内に残留している空気の量が少ないため、ゼット吐水口３２から空気が吐出される際の異音を大幅に低減することができる。これにより、ゼット導水路３１の構造を複雑化したり、水洗大便器１の節水化を妨げることなく、洗浄水をゼット吐水口３２から吐出させる際の異音の発生を抑制することができる。
【００３５】
また、本実施形態の水洗大便器１によれば、ゼット導水路３１の流路断面積が下流側に向かって小さくなるように形成されている（図６）ので、ゼット導水路３１内を流れる洗浄水を、少ないエネルギーロスで加速することができ、ゼット吐水口３２から吐出される洗浄水の流速をより高くすることができる。この結果、洗浄水の加速による異音の発生を抑制しながら、より少ない洗浄水でボウル部２０内の溜水及び汚物を排出することができる。
【００３６】
さらに、本実施形態の水洗大便器１によれば、加圧ポンプ３６により、洗浄水を導水路流入部３１ａに加圧して流入させるので、ゼット導水路３１内を流れる洗浄水の流速を高くすることができ、洗浄水の加速による異音の発生を抑制しながら、より短時間でボウル部２０内の溜水及び汚物を排出することができる。
【００３７】
また、本実施形態の水洗大便器１によれば、ゼット導水路３１の天井面の少なくとも一部が、ボウル部２０の底部を形成する壁面により構成されている（図４）ので、単純な構造で、ゼット導水路３１の導水路流入部３１ａよりも下流側の部分が、溜水面よりも下側に配置された水洗大便器本体２を形成することができる。
【００３８】
以上、本発明の好ましい実施形態を説明したが、上述した実施形態に種々の変更を加えることができる。特に、上述した実施形態においてはゼット吐水口から吐出する洗浄水を加圧ポンプで加圧するタイプの水洗大便器に本発明を適用していたが、水道等の給水源の水圧を利用して洗浄水をゼット吐水口から吐出する水道直圧式や、貯水タンク内の洗浄水の水頭圧を利用して洗浄水を吐出するタンク式等、任意の水洗大便器に本発明を適用することができる。また、リム吐水についても、任意の給水方式を採用した水洗大便器に本発明を適用することができる。
【符号の説明】
【００３９】
１    本発明の実施形態による水洗大便器
２    水洗大便器本体
４    便座
６    便蓋
８    機能部
１２    給水系機能部
１４    汚物受け面
１４ａ  側面壁面
１４ｂ  底部壁面
１６    棚面
１８    リム部
２０    ボウル部
２２    排水トラップ管路
２２ａ  入口開口
２２ｂ  上昇管路
２２ｃ  屈曲部
２２ｄ  下降管路
２４    リム通水路
２６    リム吐水口
２８    導水管
３０    通水路
３１    ゼット導水路
３１ａ  導水路流入部
３１ｂ  導水路中間部
３１ｃ  導水路湾曲部
３２    ゼット吐水口
３４    貯水タンク
３６    加圧ポンプ
【図１】
2018003250.tif 000003
【図２】
2018003250.tif 000004
【図３】
2018003250.tif 000005
【図４】
2018003250.tif 000006
【図５】
2018003250.tif 000007
【図６】
2018003250.tif 000008
【図７】
2018003250.tif 000009